(57)【要約】      （修正有）【課題】管理や使用や携帯に支障をきたさないファイルホルダーを提供する。【解決の手段】書類を綴じ込む綴じ具Ａ付きの台紙１が背面２を中央に、表表紙３と裏表紙４とに折り畳み開閉自在での、ファイルホルダーＢにおいて、裏表紙４の横縁辺４ａの一部に爪状の押さえ部５を伸ばし、其の内面に２本の谷折り線５ａを、背面２厚巾２ａとほぼ等しい間隔に並列させ、これらの押さえ部５の端子６が、表表紙３に切り込んだ差し込みスリット部７の隙に整合し合って、双方の表紙３、４が折り畳まれた状態で保持可能な構成にする。。【選択図】図１
0003142905.tif 000002
【実用新案登録請求の範囲】
【請求項１】
書類を綴じ込む綴じ具Ａ付きの台紙１が背面２を中央に、表表紙３と裏表紙４とが折り畳み開閉自在での、ファイルホルダーＢにおいて、裏表紙４の横縁辺４ａの一部に爪状の押さえ部５を伸ばし、其の内面に２本の谷折り線５ａを背面２厚巾２ａにほぼ等しい間隔に並列させ、これらの押さえ部５の端子６が、表表紙３に切り込んだ差し込みスリット部７の隙に整合し合って、双方の表紙３、（４）が折り畳まれた状態で双方が保持可能にしたことを特徴とする、綴じ込みファイルホルダー。
【請求項２】
前記する、裏表紙４の縦縁辺４ｂの一部に爪状の押さえ部５ｂを伸ばし、其の内面に２本の背面２厚巾２ａにほぼ等しい間隔に谷折り線５ａを並列させ、これらの押さえ部５ｂの端子６ａが、表表紙３に切り込んだ差し込みスリット部７ａに整合し合って差し込まれ、双方の表紙３、（４）が折り畳まれた状態で保持可能にしたことことを特徴とする請求項１記載の、綴じ込みファイルホルダー。
【考案の詳細な説明】
【技術分野】
【０００１】  この考案は、書類（プリント）を綴じるファイルホルダーに関し、詳しくは、本立てに差し込みにくかったり、乱雑にファイルが倒れたり、不揃いにズレたり、或いは、テーブル面に数冊積み重ねて保管したファイルが、直ぐ崩れ落ちたりする事の無い、差し込み、積み重ねの整理整頓に最適な改良ファイルに関する。
【背景技術】
【０００２】  この種の従来の技術として知られるファイルホルダーＢＢは図６で述べる様に、書類の綴じ込みや取り出し自在な綴じ具が、表表紙３０と裏表紙４０とで成る開閉の出来る台紙１０を折り畳み其の背面２０或いは、この背面に近い裏表紙に一体化した構成のファイルホルダーが一般的で、折り畳みの出来るこれらの台紙は材質面では、かためな紙質或いはプラスチック製での一枚使いで、サイズも規格に準じた様々なサイズ形態で商品化されるが、Ａ４サイズが主流で、これらのプリントや書類にパンチで開けた２つの孔に綴じ具が係合して、ホールドされる。そして、台紙の中央に位置する背面の折り畳み巾内に綴じ込む書類の紙面が順次集積されて、一冊のファイルが形成される。即ち、ファイルに綴じ込める書類の集積厚さは、台紙の背面の折り曲げ幅を超えない厚さが限度とされ使われるのが一般的で、背面の厚巾２ａも大小様々に設定され、綴じる収容書類枚数も其の背面巾に順じて変わることになる。
【考案の開示】
【考案が解決しようとする課題】
【０００３】  しかしながら、上記する従来技術の場合は、一枚の台紙を中央部に所定の厚巾で成る背面を設けて、二面に折り曲げて片面を表表紙、片面は裏表紙の構成である為、綴じ込む書類が少ない場合は、背面より折り曲げられる双方の二面の表紙が重なり合って閉じた形態は、クサビ状に背面の折り曲げ部を頂点に双方が傾斜して閉成体となり、背面の折り厚巾が広いほど其のクサビ状の傾斜が大きく傾くことになり、台紙に綴じ込む書類が背面の折り巾一杯に収容する迄の間は耐えず、ファイルはクサビ状に傾斜する、その為、本立てに数冊差し込まれたファイルは、背面（表正面）に飛び出し易く、不揃いに差し込まれ、或いは、テーブル面上に積み上げたファイルは崩れ易く、乱雑に配置される等の課題がある。【０００４】  また、ファイルへの綴じ込み書類枚数が多くなり，知らず知らずに背面の折り厚巾限界を超える厚さ等で、表紙が過大に開いたままでの、本立てや使い置きでのファイル整理に支障をきたす等の課題がある。
【課題を解決するための手段】
【０００５】  この考案は、かかる課題を解決するために、請求項１での考案は、図１、図２で述べる様に、図１は本考案での全体を示しての斜視図で、図２は同じ考案での使用例での斜視図を示すが、書類を綴じ込む綴じ具Ａ付きの台紙１が背面２を中央に、表表紙３と裏表紙４とが折り畳み開閉自在での、ファイルホルダーＢにおいて、裏表紙４の横縁辺４ａの一部に爪状の押さえ部５を伸ばし，其の内面に２本の谷折り線５ａで所定の間隔に並列させ、これらの押さえ部５の端子６が、表表紙３に切り込んだ差し込みスリット部７に整合し合って双方の表紙３、（４）が折り畳まれ、開く事無く保持可能な構成とする。【０００６】  次ぎに、請求項２での考案は、図３、図４で述べる様に、図３は全体を示しての斜視図で、図４は使用例での斜視図を示すが、前記する裏表紙の４の縦縁辺４ｂの一部に爪状の押さえ部５ｂを伸ばし、其の内面に２本の谷折り線５ａを設け、これらの押さえ部５ｂの  端子６ａが、表表紙３に切り込んだ差し込みスリット部７ａに整合し合って、双方が保持可能な構成にする。
【考案の効果】
【０００７】  本考案は、上述の通り構成作用するので次ぎの優れた効果を奏する。即ち、少ない書類或いは多量に綴じ込まれたファイルでも、製本式に表，裏の双方の表紙は背面の厚巾と同じ程度の厚巾の開きが裏表紙に設けた押さえ部によって表表紙にホールドされる事で、ファイルのクサビ状の傾斜も無く、或いは広がりも無い事で、テーブルに高く積み上げても崩れ落ちたり、狭いスペース，或いは間の開いたスペースでの本立てに差し込んでも、飛び出したり不揃いや倒れの無い、綴じこみファイルを提供出来る。【０００８】  また、本立てに差し込まれて保管されたファイルホルダーを無造作に、乱暴に取り出しても、双方の表紙が閉成体に管理されているので、綴じ込まれた書類は乱雑に成る事無く裏表紙に設けた押さえ部を解除するまでは、形態を崩す事の無い安全で使い易い綴じ込みファイルを提供出来る。
【考案を実施するための最良の形態】
【０００９】  以下実施例に基づいて本考案を更に詳細に説明する。即ち、図１は本考案に基づく第１実施例での全体を示す表紙の開成体での斜視図で、図２は同じ第１実施例での表紙の閉成体を示しての斜視図で、これらの表紙は書類を綴じ込むのに設けた綴じ具Ａ付きで成る一枚の台紙１で、其の中央部には一定の厚巾で成る背面２は、両サイドにそれぞれ表表紙と裏表紙とが開閉自在の扉開きに設けられるが、該裏表紙４の両サイドの横縁辺４ａの一部に爪状の押さえ部５を突き出し、そのそれぞれの内面には２本の谷折り線５ａを設けるが、其の１本は押さえ部５の突き出し根元辺に設け、他の１本は其れに並列する間隔は背面２の厚巾２ａにほぼ等して設定されるのが望ましく、そして、折り曲げられた該押さえ部５の端子６は、表表紙３に並列して切り込んだ２本の差し込みスリット部７の隙間に程よく整合し合って、挿入係合での保持可能な構成とする事で、双方の表紙は常時クサビ状に傾斜の無い均一厚さのファイルホルダーＢを形成する。【００１０】  次ぎに、図３は本考案に基づく第２実施例での全体を示す表紙の開成体での斜視図で、図４は同じ第２実施例での閉成体を示しての斜視図で、前記する裏表紙４の縦縁辺４ｂに爪状の押さえ部５ｂを突き出し（伸ばして出っ張らすこと）て、其の内面には２本の谷折り線５ａを設けるが、其の１本は押さえ部５の突き出し根元辺に設け、他の１本は其れに並列するするが、其の間隔は背面２の厚巾２ａにほぼ等しく設定されるのが望ましく、そして、図４で示す様に、折り曲げられた押さえ部５ａの端子６ａが、表表紙３に切り込まれた差し込み用のスリット部７ａの隙間に程よく整合し合って差し込まれ、双方の表紙３、（４）が折り畳まれた状態で保持可能な構成とする。【００１１】  即ち、上記する通り何れの実施例もファイルホルダーＢが綴じこむ書類の多い少ないに関係無く、閉じられた状態での表紙は背面２厚巾２ａに組み立てられるので、安定して本立てに直立保管され、テーブル面での積み上げ保管も、乱雑傾斜する事無く安定的に積み増しが可能な構成を具現化する。【００１２】  従来でのファイルホルダーＢＢのテーブル面での積み上げ保管は、図６で示す様に閉じた形態はクサビ状に傾斜し、積み上げるに従って乱雑な不揃いで使用に支障をきたすが、本考案でのファイルホルダーＢは、図５で示す様に閉じた形態はブック式に成り、積み上げに少しの傾斜も無い安定した積み上げが楽に出来ることがわかるし、本立てに差し込み保管でも接地面が安定し、飛び出し、不揃い、倒れなど使用に支障を来すことの無いことがわかる。
【図面の簡単な説明】
【００１３】
【図１】  本考案に係わる第１実施例での全体を示しての開成体での斜視図である。
【図２】  本考案に係わる第１実施例での閉成体での斜視図である。
【図３】  本考案に係わる第２実施例での全体を示しての開成体での斜視図である。
【図４】  本考案に係わる第２実施例での閉成体での斜視図である。
【図５】  本考案に係わる第１実施例での積み上げ形態での斜視図である。
【図６】  従来技術での積み上げ形態での斜視図である。
【符合の説明】
【００１４】Ａ          綴じ具
Ｂ，ＢＢ    ファイルホルダー
１、１０    台紙
２、２０    背面
２ａ、２０ａ厚巾
３、３０    表表紙
４，４０    裏表紙
４ａ        横縁辺
４ｂ        縦縁辺
５、５ｂ    押さえ部
５ａ        谷折り線
６、６ａ    端子
７、７ａ    スリット部
【図１】
0003142905.tif 000003
【図２】
0003142905.tif 000004
【図３】
0003142905.tif 000005
【図４】
0003142905.tif 000006
【図５】
0003142905.tif 000007
【図６】
0003142905.tif 000008